(57)【要約】【課題】従来手段に優位する、かつ、本発明者の先行開示支援手段の問題点を揚棄するスポーツ主要運動習熟支援手段を提供する。【解決手段】左右に識別した人体の一方側の爪先、該一方側の爪先とは左右同側の足関節、該一方側の爪先とは左右同側の膝関節、該一方側の爪先とは左右同側の股関節、該一方側の爪先とは左右反対側の股関節、該一方側の爪先とは左右反対側の肩関節、該一方側の爪先とは左右同側の肩関節、該一方側の爪先とは左右同側の肘関節、該一方側の爪先とは左右同側の手関節、該一方側の爪先とは左右同側の手先を前記順に結んだ折れ線に係る構成を２次元的に、もしくは、仮想３次元的に構成する装置を提供して解決を図る。【選択図】図１
2011115574.tif 000002
【特許請求の範囲】
【請求項１】
左右に識別した人体の
一方側の爪先、
前記該一方側の爪先とは左右同側の足関節、
前記該一方側の爪先とは左右同側の膝関節、
前記該一方側の爪先とは左右同側の股関節、
前記該一方側の爪先とは左右反対側の股関節、
前記該一方側の爪先とは左右反対側の肩関節、
前記該一方側の爪先とは左右同側の肩関節、
前記該一方側の爪先とは左右同側の肘関節、
前記該一方側の爪先とは左右同側の手関節、
前記該一方側の爪先とは左右同側の手先を
前記順に結んだ折れ線に係る構成を
２次元的に、もしくは、仮想３次元的に構成する装置。
【発明の詳細な説明】
【技術分野】
【０００１】
本発明はスポーツ運動熟達を支援する手段に関する。
【背景技術】
【０００２】
スポーツ運動の習熟過程では各スポーツ運動に典型的な主要運動の要諦の会得が不可欠となるが、この要諦の会得を支援するため、スポーツ種に応じて多くの公知技術等が存在する。
【０００３】
例えば、各スポーツ運動の現場で日常的に語られる言説や伝承がある。先人の経験に基づく無形の遺産であり一定の意味は孕むが、スポーツ運動の運動原理解明を為し得たものではなく、学習者の混乱を招く事も少なからずあった。また、これに準じた文字的、視覚的、動画映像的記述や記録、実技実演による指導等の支援手段もあったが、上記言説や伝承の域を越えるものではなかった。
【０００４】
先人の営為から編み出され工夫された様々な有形の支援手段も数多く存在した。
【０００５】
例えば、スポーツ用具に現れる物理的特性を計測し、スポーツ運動習熟を支援する手段（スポーツ用具定点の運動の速度成分や加速度成分を計測する機器、スポーツに使用される球体の運動の速度成分や加速度成分、スピン量を計測する機器等）が各種存在したが、スポーツ運動の際発生する周辺現象の物理量の表出手段であり、本発明の如くスポーツ主要運動原理を解明した手段ではなく、本発明の如くスポーツ主要運動原理に通暁する方途を備えた手段ではなく、本発明の如くスポーツ主要運動原理への通暁機能を発揮し得る手段ではなかった。また、コンピュータシステムの数理演算、関数演算、解析等を利して身体に係る運動を表現する手段（例えば、特許文献１、特許文献２、非特許文献３、参照）も各種存在したが、高度な数理演算、関数演算、解析等を応用した手段ではあるものの、本発明の如くスポーツ主要運動原理を解明した手段ではなく、本発明の如くスポーツ主要運動原理に通暁する方途を備えた手段ではなく、本発明の如くスポーツ主要運動原理への通暁機能を発揮し得る手段ではなかった。
【０００６】
また、身体計測ないし観測を経由してスポーツ運動習熟を支援する手段（例えば、特許文献３、特許文献５、特許文献６、特許文献７、特許文献８、特許文献９、特許文献１０、参照）も多数存在したが、身体運動の外観や外形を習得するための手段、あるいは運動者の運動外観や運動外形を規範とするフォームに整える手段であり、本発明の如くスポーツ主要運動原理を解明した手段ではなく、本発明の如くスポーツ主要運動原理に通暁する方途を備えた手段ではなく、本発明の如くスポーツ主要運動原理への通暁機能を発揮し得る手段ではなかった。
【０００７】
また、より直接的に身体を制御してスポーツ運動習熟を支援する手段（例えば、特許文献４、特許文献１１、特許文献１２、特許文献１３、特許文献１４、特許文献１５、参照）も各種存在したが、運動外観や運動外形を規範とする運動フォームに強制的に誘導するもしくは矯正する手段であり、本発明の如くスポーツ主要運動原理を解明した手段ではなく、本発明の如くスポーツ主要運動原理に通暁する方途を備えた手段ではなく、本発明の如くスポーツ主要運動原理への通暁機能を発揮し得る手段ではなかった。
【０００８】
また、厳正精緻なデータに依拠する学術論文（例えば、非特許文献１、非特許文献２、参照）等にあっても、身体運動の運動原理の考究を目指すものではあるが、未だ道程にあった。
【先行技術文献】
【特許文献】
【０００９】
【特許文献１】特開平１０−１４９４４５号公報
【特許文献２】特開平０４−０７１０７８号公報
【特許文献３】特開２００２−１３６６３０号公報
【特許文献４】特開平０２−７４２７３号公報
【特許文献５】特開平０６−２１００３８号公報
【特許文献６】特開平０５−３３７２３２号公報
【特許文献７】特開２００５−２３７４９４号公報
【特許文献８】特許第２６１１９２０号公報
【特許文献９】特開平０３−２０４６８１号公報
【特許文献１０】特許第２８５２９２５号公報
【特許文献１１】特開平０８−１８２７９２号公報
【特許文献１２】特表平０９−５０９３３２号公報
【特許文献１３】特開平１１−０９９２３３号公報
【特許文献１４】特開２００４−０６５９５９号公報
【特許文献１５】米国特許第６１２６５５４号明細書
【非特許文献】
【００１０】
【非特許文献１】穂苅真樹他著「ゴルフクラブスイング時の身体回転運動の計測とスキル評価」  日本機械学会論文集（Ｃ編）  Ｖｏｌ．７２・Ｎｏ．７１５・Ｐ１６８〜１７４  （２００６年）
【非特許文献２】橋口淳一他著  「モーション・キャプチャシステムを用いたゴルフスイングの動作解析」  日本臨床バイオメカニクス学会誌Ｖｏｌ．２７・Ｐ３２５〜３３０  （２００６年）
【非特許文献３】有限会社フィットネスアポロ社、三次元動作解析システム「エリエール・パフォーマンス・アナリシス・システム（Ariel Performance Analysis System）」、［online］、掲載年月日不詳、［平成２２年３月１２日検索］、インターネット＜URL：http://www.apollo-adss.jp/apas_top.htm＞、＜URL：http://www.apollo-adss.jp/apas_sp.htm＞、＜URL：http://www.apollo-adss.jp/apas_sol.htm＞、＜URL：http://www.apollo-adss.jp/apas_spec.htm＞、＜URL：http://www.apollo-adss.jp/img_product/catalogue/catalogue_apas.pdf＞
【発明の概要】
【発明が解決しようとする課題】
【００１１】
スポーツ運動熟達を目指す学習者にとっては、前記従来の支援手段によってしてもスポーツ運動に於ける主要運動の要諦会得はなお困難な問題だった。なぜなら、スポーツ運動に於ける主要運動の運動原理に基づくスポーツ主要運動学習は、スポーツ主要運動の要諦会得を円滑ならしめる、あるいは可能ならしめる喫緊の肯綮であるにも拘らず、前記従来の支援手段は、スポーツ運動に於ける主要運動の運動原理を解明した手段ではなく、学習者は、前記従来の支援手段によっても、スポーツ主要運動原理に係る真に有用な情報を獲得出来ず、不確実なスポーツ運動学習や不条理なスポーツ運動修練を余儀なくされたからである。
【００１２】
本発明者は、上記問題点に鑑み、スポーツ運動に於ける主要運動の運動原理を解明する研究に着手した。本発明者は、その際、究めんとする運動原理が運動要諦会得に資するためのものであり、スポーツ運動の現実的身体制御に供するためのものであり、この意味を充たす意義に於いて具体的、客観的、実践的、普遍的、かつ総合的な表現を可能とするものでなければならないという要請等に配慮し、種々勘案の末、図２１のような人体の左の足部位を表現した線材的部材１００、人体の左の下腿部位を表現した線材的部材１０１、人体の左の大腿部位を表現した線材的部材１０２、人体の左の胴側部部位を表現した線材的部材１０３、人体の左の上腕部位を表現した線材的部材１０４、人体の左の前腕部位を表現した線材的部材１０５、人体の左の手部位を表現した線材的部材１０６、人体の骨盤部位を表現した線材的部材１０７、人体の両肩を橋架する部位もしくは両肩を橋架する部位及び両肩部位を表現した線材的部材１０８、人体の右の足部位を表現した線材的部材１０９、人体の右の下腿部位を表現した線材的部材１１０、人体の右の大腿部位を表現した線材的部材１１１、人体の右の胴側部部位を表現した線材的部材１１２、人体の右の上腕部位を表現した線材的部材１１３、人体の右の前腕部位を表現した線材的部材１１４、人体の右の手部位を表現した線材的部材１１５の各部材と各々一定の自由度を実現する可動節１１６〜１２７により人体全身を模式的に構設した左右に識別可能な基礎的な人体モデル（以下「人体基礎モデル」という）を以って研究のための基礎構造体とした。
【００１３】
さて、スポーツの世界には、研究に活用可能な膨大な過去データが存在した。その中で『力を抜いたほうが力を入れるよりも運動効率が高い』というスポーツ界では古来より知られたパラドックスめいた事例がひときわ本発明者の興味を惹いた。ここに何かスポーツ運動を解明する鍵があると感じた本発明者は、力を入れる事と力を抜く事のバランスあるいはコンビネーションの在り方に視野を絞り、その機構解明を最重要テーマとして研究を掘り下げて行った。そして或る日、慣性運動の着想を得た。
【００１４】
慣性運動を利用すれば、運動エネルギーを最大限に活用する事が出来るのではないだろうかと思い付いたのである。が、人が慣性運動を為すとしても実に様々な運動方法がある。運動エネルギーを活かし運動エネルギーを最大限に活用する慣性運動は如何にあるべきか、様々な考究、試行錯誤が続いたが、その中から、人体に適した慣性運動は回転運動であり、かつ、偏心構造を構成して活用する回転運動が最適であると思惟するに至った。
【００１５】
しかしながら、探究の道はここに至っても未だ平坦ではなかった。どのような回転運動、即ち慣性運動、つまり偏心運動がスポーツ運動の主要運動に有意義に働く運動なのだろうか、また運動エネルギーの効率を最大限に高められるだろうか、模索し試行錯誤する日々が続いた。
【００１６】
その過程で、次第に、身体運動を一の回転運動（慣性運動、偏心運動）として把握しようとしても、解決の道が見えない事が分かって来た。スポーツ運動に於ける主要運動をなんらかの一の回転運動（慣性運動、偏心運動）として把握しようとしても、複雑に変動する人体運動は把捉し得ず、運動学習者に利用可能な有効な制御方法も確立出来ないとの結論に達したのである。さらにまた、一の回転運動（慣性運動、偏心運動）に任せる身体運動では、強大な運動エネルギーを発揮する事が出来ない事も分かって来た。かくて、研究は複数の慣性運動から成る人体運動を解明する段階へと移行して行った。
【００１７】
回転運動であり偏心運動であるからには、回転の中心をどう捉え、偏心運動の偏心構造、偏奇性をどう捉えるべきか、さらに膨大な探究の月日が流れた。その際、本発明者の研究原点たる人体基礎モデルが意味深い功緒を果たした。線材的部材により構成した人体基礎モデルが、人体には上下の幅があり左右の幅がある事、様々な部分に様々な運動構成がある事等々の思索に光を与えてくれたのである。
【００１８】
かくて、人体の中に回転運動（慣性運動、偏心運動）を索めて日夜探究を深める間に、人体の構造的特性、人間の精神的感覚的特性、物性的側面からの力学的整合性、等々の観点から問題点をしらみつぶしに洗い出し、あらゆる方面からの考察を重ねた末、本発明者は人体に考えられる基礎的な回転運動（慣性運動、偏心運動）の構造を抽出する事が出来た。それはまさに複数の回転運動（慣性運動、偏心運動）であり、複数の回転運動（慣性運動、偏心運動）から成る運動融合体であった。
【００１９】
本発明者はまた、回転運動であり慣性運動であり同時に偏心運動であるスポーツ主要運動の考究の過程に於いて、さらなる発展的運動構造をも解明発見する事が出来た。
【００２０】
以下は、本発明者の研究結果の概要である。
【００２１】
人体の上下の幅と左右の幅、多くの部位の多くの自由度、その他人体の構造的特性、精神的感覚的特性、物性的側面からの力学的整合性、等々の観点から考究して次のような事が言える。
〔１〕スポーツ運動の主要運動には複数の回転運動（慣性運動、偏心運動）が関与している。
〔２〕複数の回転運動（慣性運動、偏心運動）は意思的能動的直接的制御対象となる運動ではなく、他の意思的能動的直接的身体制御の結果として生成される生成運動である。
〔３〕複数の回転運動（慣性運動、偏心運動）が生成される過程に於いては、融和的に作用する要素（身体の在り方）と背馳的に作用する要素（身体の在り方）が存在するが、上記要素は意思的能動的直接的制御対象とすべきものである。
〔４〕複数の回転運動（慣性運動、偏心運動）が生成される際は、身体の各部位同士は適切に連携を成し、身体の各可動部位の自由度は適切に調節されるが、上記身体の各部位同士の連携、各可動部位の自由度の調節は意思的能動的直接的制御対象とすべきものである。
〔５〕スポーツ運動に於ける様々な回転運動の回転中心線同士の相対的位置関係は、運動エネルギーの仕事効率もしくは仕事能率と関連するが、上記スポーツ運動に於ける様々な回転運動の回転中心線同士の相対的位置関係は意思的能動的直接的制御対象とすべきものである。
【００２２】
以下は、本発明者の研究結果の詳細である。
【００２３】
人が為すスポーツ運動に於いて、左右に識別した人体の一方側の股関節の自由度内で、該一方側の股関節とは左右同側の大腿部位長手方向中心線を回転中心線とする、該一方側の股関節廻りの、人体部位による第一の回転運動（慣性運動、偏心運動）が考えられる。該第一の回転運動（慣性運動、偏心運動）を解析的に見れば、身体各部位同士は適切に連携を成し、該一方側の股関節及び他の関節の自由度は適切に調節され、該第一の回転運動（慣性運動、偏心運動）の生成を促していると考えられる。この点につき、人体基礎モデルを基にした考察として以下のような分析を得た。
【００２４】
左右に識別した人体の左側の股関節（可動節１１８）の自由度内で、左側の大腿部位（左の大腿部位を表現した線材的部材１０２）長手方向中心線を回転中心線とする、左側の股関節（可動節１１８）廻りの、人体部位による第一の回転運動（慣性運動、偏心運動）が考えられる。この場合の第一の回転運動（慣性運動、偏心運動）にとっては、回転軸の一意性の観点から、右側の下肢部位を表現する部材１０９〜１１１，１２２，１２３は阻害要素である。また、偏心体の偏奇性の観点から、右側の胴側部部位を表現する部材１１２は促進要素である。また、次なる回転運動（慣性運動、偏心運動）への伝達性、もしくは、次なる回転運動（慣性運動、偏心運動）との連動性の観点から、右側の胴側部部位を表現する部材１１２は協調要素であり、右側の下肢部位を表現する部材１０９〜１１１，１２２，１２３は阻害要素であり、左側の胴側部部位を表現する部材１０３は有害要素である。
【００２５】
同様に、左右に識別した人体の右側の股関節（可動節１２４）の自由度内で、右側の大腿部位（右の大腿部位を表現した線材的部材１１１）長手方向中心線を回転中心線とする、右側の股関節（可動節１２４）廻りの、人体部位による第一の回転運動（慣性運動、偏心運動）が考えられる。この場合の第一の回転運動（慣性運動、偏心運動）にとっては、回転軸の一意性の観点から、左側の下肢部位を表現する部材１００〜１０２，１１６，１１７は阻害要素である。また、偏心体の偏奇性の観点から、左側の胴側部部位を表現する部材１０３は促進要素である。また、次なる回転運動（慣性運動、偏心運動）への伝達性、もしくは、次なる回転運動（慣性運動、偏心運動）との連動性の観点から、左側の胴側部部位を表現する部材１０３は協調要素であり、左側の下肢部位を表現する部材１００〜１０２，１１６，１１７は阻害要素であり、右側の胴側部部位を表現する部材１１２は有害要素である。
【００２６】
次に、人が為すスポーツ運動に於いて、左右に識別した人体の該一方側の股関節とは左右反対側の股関節もしくは肩関節の自由度内で、該一方側の股関節とは左右反対側の胴側部部位長手方向中心線を回転中心線とする、該一方側の股関節とは左右反対側の股関節もしくは胴側部部位もしくは肩関節廻りの、人体部位による第二の回転運動（慣性運動、偏心運動）が考えられる。該第二の回転運動（慣性運動、偏心運動）を解析的に見れば、身体各部位同士は適切に連携を成し、該一方側の股関節とは左右反対側の股関節や肩関節の自由度、他の関節の自由度は適切に調節され、該第二の回転運動（慣性運動、偏心運動）の生成を促していると考えられる。この点につき、人体基礎モデルを基にした考察として以下のような分析を得た。
【００２７】
左右に識別した人体の右側の股関節（可動節１２４）もしくは肩関節（可動節１２５）の自由度内で、右側の胴側部部位（右の胴側部部位を表現した線材的部材１１２）長手方向中心線を回転中心線とする、右側の股関節（可動節１２４）もしくは胴側部部位（右の胴側部部位を表現した線材的部材１１２）もしくは肩関節（可動節１２５）廻りの、人体部位による第二の回転運動（慣性運動、偏心運動）が考えられる。この場合の第二の回転運動（慣性運動、偏心運動）にとっては、回転軸の一意性の観点から、左側の胴側部部位を表現する部材１０３は阻害要素である。また、偏心体の偏奇性の観点から、左側の上肢部位を表現する部材１０４〜１０６，１２０，１２１は促進要素である。また、次なる回転運動（慣性運動、偏心運動）への伝達性、もしくは、次なる回転運動（慣性運動、偏心運動）との連動性の観点から、左側の上肢部位を表現する部材１０４〜１０６，１２０，１２１は協調要素であり、左側の胴側部部位を表現する部材１０３は阻害要素であり、右側の上肢部位を表現する部材１１３〜１１５，１２６，１２７は有害要素である。
【００２８】
同様に、左右に識別した人体の左側の股関節（可動節１１８）もしくは肩関節（可動節１１９）の自由度内で、左側の胴側部部位（左の胴側部部位を表現した線材的部材１０３）長手方向方向中心線を回転中心線とする、左側の股関節（可動節１１８）もしくは胴側部部位（左の胴側部部位を表現した線材的部材１０３）もしくは肩関節（可動節１１９）廻りの、人体部位による第二の回転運動（慣性運動、偏心運動）が考えられる。この場合の第二の回転運動（慣性運動、偏心運動）にとっては、回転軸の一意性の観点から、右側の胴側部部位を表現する部材１１２は阻害要素である。また、偏心体の偏奇性の観点から、右側の上肢部位を表現する部材１１３〜１１５，１２６，１２７は促進要素である。また、次なる回転運動（慣性運動、偏心運動）への伝達性、もしくは、次なる回転運動（慣性運動、偏心運動）との連動性の観点から、右側の上肢部位を表現する部材１１３〜１１５，１２６，１２７は協調要素であり、右側の胴側部部位を表現する部材１１２は阻害要素であり、左側の上肢部位を表現する部材１０４〜１０６，１２０，１２１は有害要素である。
【００２９】
さて、該第二の回転運動（慣性運動、偏心運動）に及んだ運動は、人体が頭上方向に向かって肩部位を越え梯子状に延伸を続ける構造体であるならば、左側から右側へ、また右側から左側への回転運動（慣性運動、偏心運動）エネルギー伝達、あるいは回転運動（慣性運動、偏心運動）連動をその後も継続し得るであろう。が、人体はそのような構造体とはなっていないため、該第二の回転運動以降は新たな左右の運動エネルギー伝達あるいは左右の運動連動は起こり得ないのである。そして該第二の回転運動の運動エネルギーは、該一方側の股関節とは左右同側の肩関節の自由度内で該両肩を橋架する部位長手方向中心線を回転中心線とする、該一方側の股関節とは左右同側の肩関節廻りの、人体部位による第三の回転運動（慣性運動、偏心運動）として発現され、最終的なスポーツ機能を果たす運動エネルギーとして発揮される事となるのである。該第三の回転運動（慣性運動、偏心運動）を解析的に見れば、身体各部位同士は適切に連携を成し、該一方側の股関節とは左右同側の肩関節及び他の関節の自由度は適切に調節され、該第三の回転運動（慣性運動、偏心運動）の生成を促していると考えられる。
【００３０】
また、該第三の回転運動（慣性運動、偏心運動）に於いて、該一方側の股関節とは左右同側の肩関節、肘関節、手関節により二重振り子体や三重振り子体を構造する事は、運動エネルギーの仕事効率あるいは仕事能率を高める効果があると考えられる。
【００３１】
また、該第一の回転運動（慣性運動、偏心運動）と該第二の回転運動（慣性運動、偏心運動）間の運動エネルギーの伝達あるいは運動連動に際しては、図２２のように、人体を側面から観察する時、該第一の回転運動に係る回転中心線Ｖ−Ｖと該第二の回転運動に係る回転中心線Ｚ−Ｚの位相差を適宜開く方が、即ち、上記２つの回転中心線を適度にねじれの位置関係に保つ方が偏心体の偏奇性を増大させる観点から、運動エネルギーの仕事効率あるいは仕事能率を高める効果があると考えられる。
【００３２】
下記は本発明者が解明発見したスポーツ主要運動原理の観点からスポーツ主要運動を解析した事例である。
【００３３】
まず、図２３のような、卓球のフォアハンドスマッシュ運動の一タイミングに於ける身体運動を解析した結果、図２４のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図２５のような、テニスのバックハンドストローク運動の一タイミングに於ける身体運動を解析した結果、図２６のような一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図２７のような、ゴルフのスイング運動の一タイミングに於ける身体運動を解析した結果、図２８のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図２９のような、野球のバッティング運動の一タイミングに於ける身体運動を解析した結果、図３０のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図３１のような、野球の投手のピッチング運動の一タイミングに於ける身体運動を解析した結果、図３２のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位及び肩部位または両肩部位及び上腕部位長手方向中心線を回転中心線とする第三の回転運動（慣性運動、偏心運動）とから成る身体運動に係る力学構造の抽出を得た。
また、図３３のような、ソフトボールの投手のピッチング運動の一タイミングに於ける身体運動を解析した結果、図３４のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図３５のような、ボクシングのアッパーカットパンチ運動の一タイミングに於ける身体運動を解析した結果、図３６のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図３７のような、バレーボールのスパイク運動の一タイミングに於ける身体運動を解析した結果、図３８のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
また、図３９のような、テニスのサーブ運動の一タイミングに於ける身体運動を解析した結果、図４０のような、一方側の下肢の大腿部長手方向中心線を回転中心線とする第一の回転運動（慣性運動、偏心運動）と、一方側の下肢とは反対側の胴側部長手方向中心線を回転中心線とする第二の回転運動（慣性運動、偏心運動）と、両肩を橋架する部位もしくは両肩を橋架する部位及び両肩部位長手方向中心線を回転中心線とする第三の回転運動（慣性運動、偏心運動）とから成る身体運動に係る力学構造の抽出を得た。
【００３４】
以下、本発明と対比して前記従来技術を考察する。
【００３５】
特許文献１には、本発明と技術分野は同じ身体動作解析可視化装置が開示されているが、身体動作に係る映像を取得して身体動作データを生成し、上記身体動作データを数理演算して身体の最適化動作データを算出生成し、上記身体動作データ及び上記身体の最適化動作データ等に基づいて身体動作に係る情報をコンピュータディスプレイ上に表示する手段である。
【００３６】
これに対し、本発明は、本発明者が解明発見したスポーツ主要運動原理に基づいて創意工夫した、スポーツ運動力学構造構成装置である。
【００３７】
本発明と対比して、特許文献１に係る手段を考査すると、特許文献１に係る手段は、人体運動を客体化せんとする目的を有する点、人体運動に係る構成を有する点、人体運動客体化に係る機能を有する点につき、本発明と一致点を有する手段であると思量される。
【００３８】
しかしながら、特許文献１に係る手段と本発明とを比較すると、以下のような相違点がある。
【００３９】
本発明は、本発明思想を成すスポーツ主要運動原理を解明し、本発明思想を成すスポーツ主要運動原理に基づいた発明であり、本発明思想を成すスポーツ主要運動原理を開示した発明である。これに対し、特許文献１に係る手段は、本発明思想を成すスポーツ主要運動原理を解明した手段ではなく、本発明思想を成すスポーツ主要運動原理に基づいた手段ではなく、本発明思想を成すスポーツ主要運動原理を開示した手段ではない。即ち、本発明の根源は、特許文献１に係る手段の根源とは相違している。
【００４０】
本発明は、左右に識別した人体の一方側の下肢部位に発し、該人体の骨盤部位を経、該人体の該一方側の下肢部位とは左右反対側の胴側部部位を経、該人体の該一方側の下肢部位とは左右反対側の肩部位を経、該人体の両肩を橋架する部位を経、該人体の該一方側の下肢部位とは左右同側の肩部位を経、該人体の該一方側の下肢部位とは左右同側の上肢部位に至る本発明に係る力学構造を確定し、これに係る構成を２次元的に、もしくは、仮想３次元的に構成して提供する装置である。これに対し、特許文献１に係る手段は、身体動作に係る映像データを取得して身体動作データを生成し、上記身体動作データを数理演算して身体の最適化動作データを算出生成し、上記身体動作データ及び上記身体の最適化動作データ等に基づいて身体動作に係る情報をコンピュータディスプレイ上に表示する手段であるが、本発明のように本発明思想を成すスポーツ主要運動原理が未解明であり、本発明のように本発明に係る力学構造は抽出されておらず、少なくとも本発明に係る力学構造が提供される確実性あるいは確率（ｐｒｏｂａｂｉｌｉｔｙ）は本発明に劣後している。即ち、本発明思想を成すスポーツ主要運動原理に係る構成の観点に於いて、本発明の構成は特許文献１に係る手段の構成とは相違しているか、あるいは、本発明の構成は特許文献１に係る手段の構成に少なくとも優位している。
【００４１】
そして、本発明と特許文献１に係る手段とは、前記根源の相違、前記構成の相違あるいは構成の優劣差の結果、自ずと以下のような機能の相違あるいは優劣差を現じている。本発明は、本発明思想を成すスポーツ主要運動原理に係る力学構造を特定する事を確実に完結して提供する機能を発揮する発明である。これに対し、特許文献１に係る手段は、本発明思想を成すスポーツ主要運動原理に係る力学構造を特定する事を確実に完結して提供する機能を発揮する発明たり得ていない。即ち、本発明の機能は特許文献１に係る手段の機能とは相違するか、あるいは、本発明の機能は特許文献１に係る手段の機能に少なくとも優位している。
【００４２】
以上、本発明思想を成すスポーツ主要運動原理の観点から考査して、本発明は、特許文献１に係る手段に対し発明根源に於いて相違し、発明構成に於いて相違するか、あるいは少なくとも優位し、発明機能に於いて相違するか、あるいは少なくとも優位しており、本発明による時は、特許文献１に係る手段に優位して、スポーツ主要運動熟達支援が可能であると思量する。
【００４３】
特許文献２には、本発明と技術分野は同じコンピュータグラフィック表示方法およびその装置（多関節物体の動作表現方法及びコンピュータグラフィック装置）が開示されているが、人体等の多関節物体の関節部分の角度に係る関数演算を介して人体等の多関節物体の動作をコンピュータグラフィック表示する手段である。
【００４４】
これに対し、本発明は、本発明者が解明発見したスポーツ主要運動原理に基づいて創意工夫した、スポーツ運動力学構造構成装置である。
【００４５】
本発明と対比して、特許文献２に係る手段を考査すると、特許文献２に係る手段は、人体運動を客体化せんとする目的を有する点、人体運動に係る構成を有する点、人体運動客体化に係る機能を有する点につき、本発明と一致点を有する手段であると思量される。
【００４６】
しかしながら、特許文献２に係る手段と本発明とを比較すると、以下のような相違点がある。
【００４７】
本発明は、本発明思想を成すスポーツ主要運動原理を解明し、本発明思想を成すスポーツ主要運動原理に基づいた発明であり、本発明思想を成すスポーツ主要運動原理を開示した発明である。これに対し、特許文献２に係る手段は、本発明思想を成すスポーツ主要運動原理を解明した手段ではなく、本発明思想を成すスポーツ主要運動原理に基づいた手段ではなく、本発明思想を成すスポーツ主要運動原理を開示した手段ではない。即ち、本発明の根源は、特許文献２に係る手段の根源とは相違している。
【００４８】
本発明は、左右に識別した人体の一方側の下肢部位に発し、該人体の骨盤部位を経、該人体の該一方側の下肢部位とは左右反対側の胴側部部位を経、該人体の該一方側の下肢部位とは左右反対側の肩部位を経、該人体の両肩を橋架する部位を経、該人体の該一方側の下肢部位とは左右同側の肩部位を経、該人体の該一方側の下肢部位とは左右同側の上肢部位に至る本発明に係る力学構造を確定し、これに係る構成を２次元的に、もしくは、仮想３次元的に構成して提供する装置である。これに対し、特許文献２に係る手段は、人体等の多関節物体の関節部分の角度に係る関数演算を介して人体等の多関節物体の動作をコンピュータグラフィック表示する手段であるが、本発明のように本発明思想を成すスポーツ主要運動原理が未解明であり、本発明のように本発明に係る力学構造は抽出されておらず、少なくとも本発明に係る力学構造が提供される確実性あるいは確率（ｐｒｏｂａｂｉｌｉｔｙ）は本発明に劣後している。即ち、本発明思想を成すスポーツ主要運動原理に係る構成の観点に於いて、本発明の構成は特許文献２に係る手段の構成とは相違しているか、あるいは、本発明の構成は特許文献１に係る手段の構成に少なくとも優位している。
【００４９】
そして、本発明と特許文献２に係る手段とは、前記根源の相違、前記構成の相違あるいは構成の優劣差の結果、自ずと以下のような機能の相違あるいは優劣差を現じている。本発明は、本発明思想を成すスポーツ主要運動原理に係る力学構造を特定する事を確実に完結して提供する機能を発揮する発明である。これに対し、特許文献２に係る手段は、本発明思想を成すスポーツ主要運動原理に係る力学構造を特定する事を確実に完結して提供する機能を発揮する発明たり得ていない。即ち、本発明の機能は特許文献２に係る手段の機能とは相違するか、あるいは、本発明の機能は特許文献２に係る手段の機能に少なくとも優位している。
【００５０】
以上、本発明思想を成すスポーツ主要運動原理の観点から考査して、本発明は、特許文献２に係る手段に対し発明根源に於いて相違し、発明構成に於いて相違するか、あるいは少なくとも優位し、発明機能に於いて相違するか、あるいは少なくとも優位しており、本発明による時は、特許文献２に係る手段に優位して、スポーツ主要運動熟達支援が可能であると思量する。
【００５１】
特許文献３の請求項１、同文献の明細書段落「００３２」〜「００３４」、図１〜図５には、本発明と技術分野は同じスイング姿勢人形が開示されているが、人体の関節相当部分を可動とし、各種スイング運動の理想形を表現するスイング姿勢人形である。
【００５２】
これに対し、本発明は、本発明者が解明発見したスポーツ主要運動原理に基づいて創意工夫した、スポーツ運動力学構造構成装置である。
【００５３】
本発明と対比して、特許文献３に係る手段を考査すると、特許文献３に係る手段は、スポーツ運動学習を支援する目的を有する点につき、本発明と共通点を有した手段であると考量されるが、本発明に係るスポーツ主要運動原理の観点から本発明と対比して特許文献３に係る手段を考査すると以下のような事が言える。まず、特許文献３に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献３に係る手段は、本発明のように、本発明者が解明発見したところの、本発明思想を成すスポーツ主要運動原理に基づき、本発明に係る力学構造を提供する構成に於いて構成された手段ではない。また、特許文献３に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献３に係る手段に比して、発明根源に於いて相違し、発明構成に於いて相違し、発明機能に於いて相違するか、あるいは少なくとも優位している。
【００５４】
以上、本発明思想を成すスポーツ主要運動原理の観点から考査して、本発明は特許文献３に係る手段に少なくとも優位しており、本発明による時は、特許文献３に係る手段に優位して、スポーツ主要運動熟達支援が可能であると思量する。
【００５５】
特許文献４の請求項１、２頁右下欄１０行〜３頁左上欄７行、第１図〜第３図には、本発明と技術分野は同じゴルフスイング練習装置が開示されているが、可変アーム、回転アーム、屈曲部を有するアーム等から成り、身体外部からゴルフスイング運動を一定の形態に誘導矯正する事により、学習者のスイングフォームを一定のスイングフォームに整形する練習装置である。
【００５６】
これに対し、本発明は、本発明者が解明発見したスポーツ主要運動原理に基づいて創意工夫した、スポーツ運動力学構造構成装置である。
【００５７】
本発明と対比して、特許文献４に係る手段を考査すると、特許文献４に係る手段は、スポーツ運動学習を支援する目的を有する点につき、本発明と共通点を有した手段であると考量されるが、本発明に係るスポーツ主要運動原理の観点から本発明と対比して特許文献４に係る手段を考査すると以下のような事が言える。まず、特許文献４に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献４に係る手段は、本発明のように、本発明者が解明発見したところの、本発明思想を成すスポーツ主要運動原理に基づき、本発明に係る力学構造を提供する構成に於いて構成された手段ではない。また、特許文献４に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献４に係る手段に比して、発明根源に於いて相違し、発明構成に於いて相違し、発明機能に於いて相違するか、あるいは少なくとも優位している。
【００５８】
以上、本発明思想を成すスポーツ主要運動原理の観点から考査して、本発明は特許文献４に係る手段に少なくとも優位しており、本発明による時は、特許文献４に係る手段に優位して、スポーツ主要運動熟達支援が可能であると思量する。
【００５９】
特許文献５の請求項１、図１、図２には、本発明と技術分野は同じゴルフスイングロボットが開示されているが、人体骨格を模して関節相当部分を可動とし、ゴルフスイング時の人体の運動フォームを表現するための人体模型（ロボット）である。
【００６０】
これに対し、本発明は、本発明者が解明発見したスポーツ主要運動原理に基づいて創意工夫した、スポーツ運動力学構造構成装置である。
【００６１】
本発明と対比して、特許文献５に係る手段を考査すると、特許文献５に係る手段は、スポーツ運動学習を支援する目的を有する点につき、本発明と共通点を有した手段であると考量されるが、本発明に係るスポーツ主要運動原理の観点から本発明と対比して特許文献５に係る手段を考査すると以下のような事が言える。まず、特許文献５に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献５に係る手段は、本発明のように、本発明者が解明発見したところの、本発明思想を成すスポーツ主要運動原理に基づき、本発明に係る力学構造を提供する構成に於いて構成された手段ではない。また、特許文献５に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献５に係る手段に比して、発明根源に於いて相違し、発明構成に於いて相違し、発明機能に於いて相違するか、あるいは少なくとも優位している。
【００６２】
以上、本発明思想を成すスポーツ主要運動原理の観点から考査して、本発明は特許文献５に係る手段に少なくとも優位しており、本発明による時は、特許文献５に係る手段に優位して、スポーツ主要運動熟達支援が可能であると思量する。
【００６３】
特許文献６の請求項１には、本発明と技術分野は同じスイングフォーム学習装置が開示されているが、映像を比較する手段により、手本とするゴルフスイングフォームに学習者のゴルフスイングフォームを教導して、ゴルフスイングを学習させるスイングフォーム学習装置である。
【００６４】
これに対し、本発明は、本発明者が解明発見したスポーツ主要運動原理に基づいて創意工夫した、スポーツ運動力学構造構成装置である。
【００６５】
本発明と対比して、特許文献６に係る手段を考査すると、特許文献６に係る手段は、スポーツ運動学習を支援する目的を有する点につき、本発明と共通点を有した手段であると考量されるが、本発明に係るスポーツ主要運動原理の観点から本発明と対比して特許文献６に係る手段を考査すると以下のような事が言える。まず、特許文献６に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献６に係る手段は、本発明のように、本発明者が解明発見したところの、本発明思想を成すスポーツ主要運動原理に基づき、本発明に係る力学構造を提供する構成に於いて構成された手段ではない。また、特許文献６に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献６に係る手段に比して、発明根源に於いて相違し、発明構成に於いて相違し、発明機能に於いて相違するか、あるいは少なくとも優位している。
【００６６】
以上、本発明思想を成すスポーツ主要運動原理の観点から考査して、本発明は特許文献６に係る手段に少なくとも優位しており、本発明による時は、特許文献６に係る手段に優位して、スポーツ主要運動熟達支援が可能であると思量する。
【００６７】
特許文献７の請求項１〜請求項４には、本発明と技術分野は同じ実技分析システム及びプログラムが開示されているが、画像データ処理を介し、手本とするスポーツ運動フォームに学習者のスポーツ運動フォームを教導する事によって、スポーツ運動を学習させる実技分析システム及びプログラムである。
【００６８】
これに対し、本発明は、本発明者が解明発見したスポーツ主要運動原理に基づいて創意工夫した、スポーツ運動力学構造構成装置である。
【００６９】
本発明と対比して、特許文献７に係る手段を考査すると、特許文献７に係る手段は、スポーツ運動学習を支援する目的を有する点につき、本発明と共通点を有した手段であると考量されるが、本発明に係るスポーツ主要運動原理の観点から本発明と対比して特許文献７に係る手段を考査すると以下のような事が言える。まず、特許文献７に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献７に係る手段は、本発明のように、本発明者が解明発見したところの、本発明思想を成すスポーツ主要運動原理に基づき、本発明に係る力学構造を提供する構成に於いて構成された手段ではない。また、特許文献７に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献７に係る手段に比して、発明根源に於いて相違し、発明構成に於いて相違し、発明機能に於いて相違するか、あるいは少なくとも優位している。
【００７０】
以上、本発明思想を成すスポーツ主要運動原理の観点から考査して、本発明は特許文献７に係る手段に少なくとも優位しており、本発明による時は、特許文献７に係る手段に優位して、スポーツ主要運動熟達支援が可能であると思量する。
【００７１】
特許文献８の請求項１には、本発明と技術分野は同じ運動技能学習装置が開示されているが、筋電信号処理を介する等して、手本とするスポーツ運動パターンに学習者の運動パターンを教導し、スポーツ運動を学習させる運動技能学習装置である。
【００７２】
これに対し、本発明は、本発明者が解明発見したスポーツ主要運動原理に基づいて創意工夫した、スポーツ運動力学構造構成装置である。
【００７３】
本発明と対比して、特許文献８に係る手段を考査すると、特許文献８に係る手段は、スポーツ運動学習を支援する目的を有する点につき、本発明と共通点を有した手段であると考量されるが、本発明に係るスポーツ主要運動原理の観点から本発明と対比して特許文献８に係る手段を考査すると以下のような事が言える。まず、特許文献８に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献８に係る手段は、本発明のように、本発明者が解明発見したところの、本発明思想を成すスポーツ主要運動原理に基づき、本発明に係る力学構造を提供する構成に於いて構成された手段ではない。また、特許文献８に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献８に係る手段に比して、発明根源に於いて相違し、発明構成に於いて相違し、発明機能に於いて相違するか、あるいは少なくとも優位している。
【００７４】
以上、本発明思想を成すスポーツ主要運動原理の観点から考査して、本発明は特許文献８に係る手段に少なくとも優位しており、本発明による時は、特許文献８に係る手段に優位して、スポーツ主要運動熟達支援が可能であると思量する。
【００７５】
特許文献９の請求項１には、本発明と技術分野は同じ器械運動の教材用人形モデルが開示されているが、人体の関節相当部分を回動自在とし、人の器械運動を表現するための器械運動の教材用人形モデルである。
【００７６】
これに対し、本発明は、本発明者が解明発見したスポーツ主要運動原理に基づいて創意工夫した、スポーツ運動力学構造構成装置である。
【００７７】
本発明と対比して、特許文献９に係る手段を考査すると、特許文献９に係る手段は、スポーツ運動学習を支援する目的を有する点につき、本発明と共通点を有した手段であると考量されるが、本発明に係るスポーツ主要運動原理の観点から本発明と対比して特許文献９に係る手段を考査すると以下のような事が言える。まず、特許文献９に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献９に係る手段は、本発明のように、本発明者が解明発見したところの、本発明思想を成すスポーツ主要運動原理に基づき、本発明に係る力学構造を提供する構成に於いて構成された手段ではない。また、特許文献９に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献９に係る手段に比して、発明根源に於いて相違し、発明構成に於いて相違し、発明機能に於いて相違するか、あるいは少なくとも優位している。
【００７８】
以上、本発明思想を成すスポーツ主要運動原理の観点から考査して、本発明は特許文献９に係る手段に少なくとも優位しており、本発明による時は、特許文献９に係る手段に優位して、スポーツ主要運動熟達支援が可能であると思量する。
【００７９】
特許文献１０の請求項１には、本発明と技術分野は同じ肉体的運動熟達教育用システムが開示されているが、映像データ処理等を介し、手本とするスポーツ運動に学習者のスポーツ運動を教導する事によって、学習者のスポーツ運動熟達を図る肉体的運動熟達教育用システムである。
【００８０】
これに対し、本発明は、本発明者が解明発見したスポーツ主要運動原理に基づいて創意工夫した、スポーツ運動力学構造構成装置である。
【００８１】
本発明と対比して、特許文献１０に係る手段を考査すると、特許文献１０に係る手段は、スポーツ運動学習を支援する目的を有する点につき、本発明と共通点を有した手段であると考量されるが、本発明に係るスポーツ主要運動原理の観点から本発明と対比して特許文献１０に係る手段を考査すると以下のような事が言える。まず、特許文献１０に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１０に係る手段は、本発明のように、本発明者が解明発見したところの、本発明思想を成すスポーツ主要運動原理に基づき、本発明に係る力学構造を提供する構成に於いて構成された手段ではない。また、特許文献１０に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１０に係る手段に比して、発明根源に於いて相違し、発明構成に於いて相違し、発明機能に於いて相違するか、あるいは少なくとも優位している。
【００８２】
以上、本発明思想を成すスポーツ主要運動原理の観点から考査して、本発明は特許文献１０に係る手段に少なくとも優位しており、本発明による時は、特許文献１０に係る手段に優位して、スポーツ主要運動熟達支援が可能であると思量する。
【００８３】
特許文献１１の請求項１には、本発明と技術分野は同じゴルフスイング矯正ヘルス機が開示されているが、身体運動を統御し、理想とするゴルフスイング運動に学習者のゴルフスイング運動を矯正する事によって、ゴルフスイングを学習させるゴルフスイング矯正ヘルス機である。
【００８４】
これに対し、本発明は、本発明者が解明発見したスポーツ主要運動原理に基づいて創意工夫した、スポーツ運動力学構造構成装置である。
【００８５】
本発明と対比して、特許文献１１に係る手段を考査すると、特許文献１１に係る手段は、スポーツ運動学習を支援する目的を有する点につき、本発明と共通点を有した手段であると考量されるが、本発明に係るスポーツ主要運動原理の観点から本発明と対比して特許文献１１に係る手段を考査すると以下のような事が言える。まず、特許文献１１に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１１に係る手段は、本発明のように、本発明者が解明発見したところの、本発明思想を成すスポーツ主要運動原理に基づき、本発明に係る力学構造を提供する構成に於いて構成された手段ではない。また、特許文献１１に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１１に係る手段に比して、発明根源に於いて相違し、発明構成に於いて相違し、発明機能に於いて相違するか、あるいは少なくとも優位している。
【００８６】
以上、本発明思想を成すスポーツ主要運動原理の観点から考査して、本発明は特許文献１１に係る手段に少なくとも優位しており、本発明による時は、特許文献１１に係る手段に優位して、スポーツ主要運動熟達支援が可能であると思量する。
【００８７】
特許文献１２の請求項１には、本発明と技術分野は同じゴルフスイング等運動の練習および筋肉訓練装置が開示されているが、理想とするスイング運動パターンに学習者のスイング運動パターンを誘導して、スイング運動の練習や筋肉訓練をするゴルフスイング等運動の練習および筋肉訓練装置である。
【００８８】
これに対し、本発明は、本発明者が解明発見したスポーツ主要運動原理に基づいて創意工夫した、スポーツ運動力学構造構成装置である。
【００８９】
本発明と対比して、特許文献１２に係る手段を考査すると、特許文献１２に係る手段は、スポーツ運動学習を支援する目的を有する点につき、本発明と共通点を有した手段であると考量されるが、本発明に係るスポーツ主要運動原理の観点から本発明と対比して特許文献１２に係る手段を考査すると以下のような事が言える。まず、特許文献１２に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１２に係る手段は、本発明のように、本発明者が解明発見したところの、本発明思想を成すスポーツ主要運動原理に基づき、本発明に係る力学構造を提供する構成に於いて構成された手段ではない。また、特許文献１２に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１２に係る手段に比して、発明根源に於いて相違し、発明構成に於いて相違し、発明機能に於いて相違するか、あるいは少なくとも優位している。
【００９０】
以上、本発明思想を成すスポーツ主要運動原理の観点から考査して、本発明は特許文献１２に係る手段に少なくとも優位しており、本発明による時は、特許文献１２に係る手段に優位して、スポーツ主要運動熟達支援が可能であると思量する。
【００９１】
特許文献１３の請求項１には、本発明と技術分野は同じゴルフのスイング練習器が開示されているが、理想とするゴルフスイング運動に学習者のゴルフスイング運動を誘導して、ゴルフスイングを学習させるゴルフのスイング練習器である。
【００９２】
これに対し、本発明は、本発明者が解明発見したスポーツ主要運動原理に基づいて創意工夫した、スポーツ運動力学構造構成装置である。
【００９３】
本発明と対比して、特許文献１３に係る手段を考査すると、特許文献１３に係る手段は、スポーツ運動学習を支援する目的を有する点につき、本発明と共通点を有した手段であると考量されるが、本発明に係るスポーツ主要運動原理の観点から本発明と対比して特許文献１３に係る手段を考査すると以下のような事が言える。まず、特許文献１３に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１３に係る手段は、本発明のように、本発明者が解明発見したところの、本発明思想を成すスポーツ主要運動原理に基づき、本発明に係る力学構造を提供する構成に於いて構成された手段ではない。また、特許文献１３に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１３に係る手段に比して、発明根源に於いて相違し、発明構成に於いて相違し、発明機能に於いて相違するか、あるいは少なくとも優位している。
【００９４】
以上、本発明思想を成すスポーツ主要運動原理の観点から考査して、本発明は特許文献１３に係る手段に少なくとも優位しており、本発明による時は、特許文献１３に係る手段に優位して、スポーツ主要運動熟達支援が可能であると思量する。
【００９５】
特許文献１４の請求項１には、本発明と技術分野は同じフォーム矯正肩ベルトが、また、同文献の請求項２には、本発明と技術分野は同じフォーム矯正腰ベルトが開示されているが、各々理想とするスポーツ運動フォームに学習者のスポーツ運動フォームを矯正して、スポーツ運動を学習させるフォーム矯正肩ベルト、フォーム矯正腰ベルトである。
【００９６】
これに対し、本発明は、本発明者が解明発見したスポーツ主要運動原理に基づいて創意工夫した、スポーツ運動力学構造構成装置である。
【００９７】
本発明と対比して、特許文献１４に係る手段を考査すると、特許文献１４に係る手段は、スポーツ運動学習を支援する目的を有する点につき、本発明と共通点を有した手段であると考量されるが、本発明に係るスポーツ主要運動原理の観点から本発明と対比して特許文献１４に係る手段を考査すると以下のような事が言える。まず、特許文献１４に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１４に係る手段は、本発明のように、本発明者が解明発見したところの、本発明思想を成すスポーツ主要運動原理に基づき、本発明に係る力学構造を提供する構成に於いて構成された手段ではない。また、特許文献１４に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１４に係る手段に比して、発明根源に於いて相違し、発明構成に於いて相違し、発明機能に於いて相違するか、あるいは少なくとも優位している。
【００９８】
以上、本発明思想を成すスポーツ主要運動原理の観点から考査して、本発明は特許文献１４に係る手段に少なくとも優位しており、本発明による時は、特許文献１４に係る手段に優位して、スポーツ主要運動熟達支援が可能であると思量する。
【００９９】
特許文献１５の請求項１には、本発明と技術分野は同じ揺動訓練装置が開示されているが、ゴルフスイング等スイング運動の身体部分を統御し、理想とするスイング運動に学習者のスイング運動を矯正して、スイング運動を学習させる揺動訓練装置である。
【０１００】
これに対し、本発明は、本発明者が解明発見したスポーツ主要運動原理に基づいて創意工夫した、スポーツ運動力学構造構成装置である。
【０１０１】
本発明と対比して、特許文献１５に係る手段を考査すると、特許文献１５に係る手段は、スポーツ運動学習を支援する目的を有する点につき、本発明と共通点を有した手段であると考量されるが、本発明に係るスポーツ主要運動原理の観点から本発明と対比して特許文献１５に係る手段を考査すると以下のような事が言える。まず、特許文献１５に係る手段は、本発明のように、本発明に係るスポーツ主要運動原理を解明発見し得た手段ではなく、本発明のように、本発明者が解明発見したところの、本発明思想を成すスポーツ主要運動原理に基づいた手段ではない。また、特許文献１５に係る手段は、本発明のように、本発明者が解明発見したところの、本発明思想を成すスポーツ主要運動原理に基づき、本発明に係る力学構造を提供する構成に於いて構成された手段ではない。また、特許文献１５に係る手段は、本発明のように、本発明者が解明発見したところの、本発明思想を成すスポーツ主要運動原理に基づき、本発明のように、人体内の力学構造を提供すべく本発明者が創意工夫した構成を成して、本発明のように、スポーツ主要運動熟達を支援する機能を発揮する手段ではない。よって、本発明者の解明発見したスポーツ主要運動原理の観点から考査するに、本発明は、特許文献１５に係る手段に比して、発明根源に於いて相違し、発明構成に於いて相違し、発明機能に於いて相違するか、あるいは少なくとも優位している。
【０１０２】
以上、本発明思想を成すスポーツ主要運動原理の観点から考査して、本発明は特許文献１５に係る手段に少なくとも優位しており、本発明による時は、特許文献１５に係る手段に優位して、スポーツ主要運動熟達支援が可能であると思量する。
【０１０３】
非特許文献１の、第１７１ページ〜第１７２ページ、項目「４．  実験」の「４−２  ドライバースイング計測」には、文章と図表とによって、本発明と技術分野は同じゴルフスイング運動をテーマとした、身体運動に係る計測データを示す研究論文が公表されている。
【０１０４】
これに対し、本発明は、本発明者が解明発見したスポーツ主要運動原理に基づいて創意工夫した、スポーツ運動力学構造構成装置である。
【０１０５】
本発明と対比して、非特許文献１の研究論文を考査すると、非特許文献１の研究論文には、人体運動を客体化せんとする目的を有する点、人体運動に係る構成を有する点、人体運動客体化に係る機能を有する点につき、本発明と一致点を有する手段であると思量される。
【０１０６】
しかしながら、非特許文献１の研究論文と本発明とを比較すると、以下のような相違点がある。
【０１０７】
本発明は、本発明思想を成すスポーツ主要運動原理を解明し、本発明思想を成すスポーツ主要運動原理に基づいた発明であり、本発明思想を成すスポーツ主要運動原理を開示した発明である。これに対し、非特許文献１の研究論文は、本発明思想を成すスポーツ主要運動原理を解明した研究論文ではなく、本発明思想を成すスポーツ主要運動原理に基づいた研究論文ではなく、本発明思想を成すスポーツ主要運動原理を開示した研究論文ではない。即ち、本発明の根源は、非特許文献１の根源とは相違している。
【０１０８】
本発明は、左右に識別した人体の一方側の下肢部位に発し、該人体の骨盤部位を経、該人体の該一方側の下肢部位とは左右反対側の胴側部部位を経、該人体の該一方側の下肢部位とは左右反対側の肩部位を経、該人体の両肩を橋架する部位を経、該人体の該一方側の下肢部位とは左右同側の肩部位を経、該人体の該一方側の下肢部位とは左右同側の上肢部位に至る本発明に係る力学構造を確定し、これに係る構成を２次元的に、もしくは、仮想３次元的に構成して提供する装置である。これに対し、非特許文献１の研究論文に開示されているのは、身体運動に係る計測データであるが、本発明のように本発明思想を成すスポーツ主要運動原理が未解明であり、本発明のように本発明に係る力学構造は抽出されておらず、少なくとも本発明に係る力学構造が提供される確実性あるいは確率（ｐｒｏｂａｂｉｌｉｔｙ）は本発明に劣後している。従って、本発明思想を成すスポーツ主要運動原理に係る構成の観点に於いて、本発明の構成は非特許文献１の研究論文の構成とは相違しているか、あるいは、本発明の構成は非特許文献１の研究論文の構成に少なくとも優位している。
【０１０９】
そして、本発明と非特許文献１の研究論文とは、前記根源の相違、前記構成の相違あるいは構成の優劣差の結果、自ずと以下のような機能の相違あるいは優劣差を現じている。本発明は、本発明思想を成すスポーツ主要運動原理に係る力学構造を特定する事を確実に完結して提供する機能を発揮する発明である。これに対し、非特許文献１に係る手段は、本発明思想を成すスポーツ主要運動原理に係る力学構造を特定する事を確実に完結して提供する機能を発揮する手段たり得ていない。即ち、本発明の機能は非特許文献１の研究論文の機能とは相違するか、あるいは、本発明の機能は非特許文献１の研究論文の機能に少なくとも優位している。
【０１１０】
以上、本発明思想を成すスポーツ主要運動原理の観点から考査して、本発明は、非特許文献１の研究論文に対し根源に於いて相違し、構成に於いて相違するか、あるいは少なくとも優位し、機能に於いて相違するか、あるいは少なくとも優位しており、本発明による時は、非特許文献１の研究論文に優位して、スポーツ主要運動熟達支援が可能であると思量する。
【０１１１】
非特許文献２の、第３２８ページ〜第３２９ページ、項目「結果」には、文章と図表とによって、本発明と技術分野は同じゴルフスイング運動をテーマとした、身体運動に係る解析データを示す研究論文が公表されている。
【０１１２】
これに対し、本発明は、本発明者が解明発見したスポーツ主要運動原理に基づいて創意工夫した、スポーツ運動力学構造構成装置である。
【０１１３】
本発明と対比して、非特許文献２の研究論文を考査すると、非特許文献２の研究論文には、人体運動を客体化せんとする目的を有する点、人体運動に係る構成を有する点、人体運動客体化に係る機能を有する点につき、本発明と一致点を有する手段であると思量される。
【０１１４】
しかしながら、非特許文献２の研究論文と本発明とを比較すると、以下のような相違点がある。
【０１１５】
本発明は、本発明思想を成すスポーツ主要運動原理を解明し、本発明思想を成すスポーツ主要運動原理に基づいた発明であり、本発明思想を成すスポーツ主要運動原理を開示した発明である。これに対し、非特許文献２の研究論文は、本発明思想を成すスポーツ主要運動原理を解明した研究論文ではなく、本発明思想を成すスポーツ主要運動原理に基づいた研究論文ではなく、本発明思想を成すスポーツ主要運動原理を開示した研究論文ではない。即ち、本発明の根源は、非特許文献２の根源とは相違している。
【０１１６】
本発明は、左右に識別した人体の一方側の下肢部位に発し、該人体の骨盤部位を経、該人体の該一方側の下肢部位とは左右反対側の胴側部部位を経、該人体の該一方側の下肢部位とは左右反対側の肩部位を経、該人体の両肩を橋架する部位を経、該人体の該一方側の下肢部位とは左右同側の肩部位を経、該人体の該一方側の下肢部位とは左右同側の上肢部位に至る本発明に係る力学構造を確定し、これに係る構成を２次元的に、もしくは、仮想３次元的に構成して提供する装置である。これに対し、非特許文献２の研究論文に開示されているのは、身体運動に係る解析データであるが、本発明のように本発明思想を成すスポーツ主要運動原理が未解明であり、本発明のように本発明に係る力学構造は抽出されておらず、少なくとも本発明に係る力学構造が提供される確実性あるいは確率（ｐｒｏｂａｂｉｌｉｔｙ）は本発明に劣後している。従って、本発明思想を成すスポーツ主要運動原理に係る構成の観点に於いて、本発明の構成は非特許文献２の研究論文の構成とは相違しているか、あるいは、本発明の構成は非特許文献２の研究論文の構成に少なくとも優位している。
【０１１７】
そして、本発明と非特許文献２の研究論文とは、前記根源の相違、前記構成の相違あるいは構成の優劣差の結果、自ずと以下のような機能の相違あるいは優劣差を現じている。本発明は、本発明思想を成すスポーツ主要運動原理に係る力学構造を特定する事を確実に完結して提供する機能を発揮する発明である。これに対し、非特許文献２に係る手段は、本発明思想を成すスポーツ主要運動原理に係る力学構造を特定する事を確実に完結して提供する機能を発揮する手段たり得ていない。即ち、本発明の機能は非特許文献２の研究論文の機能とは相違するか、あるいは、本発明の機能は非特許文献２の研究論文の機能に少なくとも優位している。
【０１１８】
以上、本発明思想を成すスポーツ主要運動原理の観点から考査して、本発明は、非特許文献２の研究論文に対し根源に於いて相違し、構成に於いて相違するか、あるいは少なくとも優位し、機能に於いて相違するか、あるいは少なくとも優位しており、本発明による時は、非特許文献２の研究論文に優位して、スポーツ主要運動熟達支援が可能であると思量する。
【０１１９】
非特許文献３のインターネット上の製品カタログには、運動者の身体運動の外観やフォームに係るデータないし解析データを提供するための技術が公開されている。
【０１２０】
これに対し、本発明は、本発明者が解明発見したスポーツ主要運動原理に基づいて創意工夫した、スポーツ運動力学構造構成装置である。
【０１２１】
本発明と対比して、非特許文献３の製品カタログを考査すると、非特許文献３の製品カタログには、人体運動を客体化せんとする目的を有する点、人体運動に係る構成を有する点、人体運動客体化に係る機能を有する点につき、本発明と一致点を有する手段であると思量される。
【０１２２】
しかしながら、非特許文献３の製品カタログと本発明とを比較すると、以下のような相違点がある。
【０１２３】
本発明は、本発明思想を成すスポーツ主要運動原理を解明し、本発明思想を成すスポーツ主要運動原理に基づいた発明であり、本発明思想を成すスポーツ主要運動原理を開示した発明である。これに対し、非特許文献３の製品カタログは、本発明思想を成すスポーツ主要運動原理を解明した製品カタログではなく、本発明思想を成すスポーツ主要運動原理に基づいた製品カタログではなく、本発明思想を成すスポーツ主要運動原理を開示した製品カタログではない。即ち、本発明の根源は、非特許文献３の根源とは相違している。
【０１２４】
本発明は、左右に識別した人体の一方側の下肢部位に発し、該人体の骨盤部位を経、該人体の該一方側の下肢部位とは左右反対側の胴側部部位を経、該人体の該一方側の下肢部位とは左右反対側の肩部位を経、該人体の両肩を橋架する部位を経、該人体の該一方側の下肢部位とは左右同側の肩部位を経、該人体の該一方側の下肢部位とは左右同側の上肢部位に至る本発明に係る力学構造を確定し、これに係る構成を２次元的に、もしくは、仮想３次元的に構成して提供する装置である。これに対し、非特許文献３の製品カタログに開示されているのは、運動者の身体運動の外観やフォームに係るデータないし解析データを提供するための技術に係る製品カタログであるが、本発明のように本発明思想を成すスポーツ主要運動原理が未解明であり、本発明のように本発明に係る力学構造は抽出されておらず、少なくとも本発明に係る力学構造が提供される確実性あるいは確率（ｐｒｏｂａｂｉｌｉｔｙ）は本発明に劣後している。従って、本発明思想を成すスポーツ主要運動原理に係る構成の観点に於いて、本発明の構成は非特許文献３の製品カタログの構成とは相違しているか、あるいは、本発明の構成は非特許文献３の製品カタログの構成に少なくとも優位している。
【０１２５】
そして、本発明と非特許文献３の製品カタログとは、前記根源の相違、前記構成の相違あるいは構成の優劣差の結果、自ずと以下のような機能の相違あるいは優劣差を現じている。本発明は、本発明思想を成すスポーツ主要運動原理に係る力学構造を特定する事を確実に完結して提供する機能を発揮する発明である。これに対し、非特許文献３に係る手段は、本発明思想を成すスポーツ主要運動原理に係る力学構造を特定する事を確実に完結して提供する機能を発揮する手段たり得ていない。即ち、本発明の機能は非特許文献３の製品カタログの機能とは相違するか、あるいは、本発明の機能は非特許文献３の製品カタログの機能に少なくとも優位している。
【０１２６】
以上、本発明思想を成すスポーツ主要運動原理の観点から考査して、本発明は、非特許文献３の製品カタログに対し根源に於いて相違し、構成に於いて相違するか、あるいは少なくとも優位し、機能に於いて相違するか、あるいは少なくとも優位しており、本発明による時は、非特許文献３の製品カタログに優位して、スポーツ主要運動熟達支援が可能であると思量する。
【０１２７】
前記従来技術による時は、学習者は運動原理に則り熟達を果たすというスポーツ運動練達の王道を遮蔽され、運動要諦会得に手間取り、理不尽な過負担を強いられて、スポーツ運動習熟に困難を来たしがちだった。本発明者は従来状況を打開するため、本発明者の前記研究に基づくスポーツ運動習熟支援手段を本発明に先行して特願２００９−１６１８０１等に於いて開示しているが、本発明に先行して特願２００９−１６１８０１等に於いて本発明者が開示したスポーツ運動習熟支援手段（以下、先行開示支援手段という）は、構成上、活用シチュエーション延いては利便性が限定され、保守上の負担を要する等の問題点を抱えていた。
【０１２８】
本発明が解決しようとする課題は、前記従来手段に優位する、かつ、前記本発明者の先行開示支援手段を揚棄するスポーツ主要運動習熟支援手段を提供し、スポーツ運動学習に資する事にある。
【課題を解決するための手段】
【０１２９】
本発明者は数多の模索を重ねた後、本発明を完成させる事が出来た。即ち、本発明は、
左右に識別した人体の
一方側の爪先、
前記該一方側の爪先とは左右同側の足関節、
前記該一方側の爪先とは左右同側の膝関節、
前記該一方側の爪先とは左右同側の股関節、
前記該一方側の爪先とは左右反対側の股関節、
前記該一方側の爪先とは左右反対側の肩関節、
前記該一方側の爪先とは左右同側の肩関節、
前記該一方側の爪先とは左右同側の肘関節、
前記該一方側の爪先とは左右同側の手関節、
前記該一方側の爪先とは左右同側の手先を
前記順に結んだ折れ線に係る構成を
２次元的に、もしくは、仮想３次元的に構成する装置である。
【０１３０】
なお、本発明に於ける爪先とは、人体の一方側の足の中央の指の先端部分を言うものとする。
【０１３１】
また、本発明に於ける手先とは、人体の一方側の手の中央の指の先端部分を言うものとする。
【発明の効果】
【０１３２】
本発明によって、前記従来手段に優位した、かつ、前記本発明者の先行開示支援手段を揚棄したスポーツ主要運動習熟支援手段が提供され、スポーツ運動学習に資する事が出来た。
【図面の簡単な説明】
【０１３３】
【図１】本発明の構成例に係る説明図である。
【図２】本発明の構成例に係る説明図である。
【図３】本発明の構成例に係る説明図である。
【図４】本発明の構成例に係る説明図である。
【図５】本発明の構成例に係る説明図である。
【図６】本発明の構成例に係る説明図である。
【図７】本発明の構成例に係る説明図である。
【図８】本発明の構成例に係る説明図である。
【図９】本発明の構成例に係る説明図である。
【図１０】本発明の構成例に係る説明図である。
【図１１】本発明の構成例に係る説明図である。
【図１２】本発明の構成例に係る説明図である。
【図１３】本発明の構成例に係る説明図である。
【図１４】本発明の構成例に係る説明図である。
【図１５】本発明の構成例に係る説明図である。
【図１６】本発明の構成例に係る説明図である。
【図１７】本発明の構成例に係る説明図である。
【図１８】本発明の構成例に係る説明図である。
【図１９】本発明実施例のコンピュータ装置の構成例を示すブロック図である。
【図２０】本発明実施例のコンピュータ装置の動作例を示すフローチャート図である。
【図２１】人体基礎モデルを表す模式図である。
【図２２】人体を側面から観察した模式図である。
【図２３】卓球のフォアハンドスマッシュ運動を表す模式図である。
【図２４】卓球のフォアハンドスマッシュ運動の力学構造を表す模式図である。
【図２５】テニスのバックハンドストローク運動を表す模式図である。
【図２６】テニスのバックハンドストローク運動の力学構造を表す模式図である。
【図２７】ゴルフのスイング運動を表す模式図である。
【図２８】ゴルフのスイング運動の力学構造を表す模式図である。
【図２９】野球のバッティング運動を表す模式図である。
【図３０】野球のバッティング運動の力学構造を表す模式図である。
【図３１】野球投手のピッチング運動を表す模式図である。
【図３２】野球投手のピッチング運動の力学構造を表す模式図である。
【図３３】ソフトボール投手のピッチング運動を表す模式図である。
【図３４】ソフトボール投手のピッチング運動の力学構造を表す模式図である。
【図３５】ボクシングのアッパーカットパンチ運動を表す模式図である。
【図３６】ボクシングのアッパーカットパンチ運動の力学構造を表す模式図である。
【図３７】バレーボールのスパイク運動を表す模式図である。
【図３８】バレーボールのスパイク運動の力学構造を表す模式図である。
【図３９】テニスのサーブ運動を表す模式図である。
【図４０】テニスのサーブ運動の力学構造を表す模式図である。
【発明を実施するための形態】
【０１３４】
本発明は、左右に識別した人体の一方側の爪先、前記該一方側の爪先とは左右同側の足関節、前記該一方側の爪先とは左右同側の膝関節、前記該一方側の爪先とは左右同側の股関節、前記該一方側の爪先とは左右反対側の股関節、前記該一方側の爪先とは左右反対側の肩関節、前記該一方側の爪先とは左右同側の肩関節、前記該一方側の爪先とは左右同側の肘関節、前記該一方側の爪先とは左右同側の手関節、前記該一方側の爪先とは左右同側の手先を前記順に結んだ折れ線に係る構成を２次元的に、もしくは、仮想３次元的に構成する装置であり、前記従来手段に優位した、また、前記本発明者の先行開示支援手段を揚棄せしめたスポーツ主要運動習熟支援手段である。
【０１３５】
本発明構成に於いては、人体の一方側の膝関節と股関節とを結ぶ構成と、上記該一方側とは左右反対側の股関節と肩関節とを結ぶ構成との位置関係をねじれの関係に構成してもよく、本発明構成を上記構成に構成する時は、より効率的なスポーツ主要運動原理運動に係る構成を形成する事が可能である。
【０１３６】
また、本発明構成に於いては、人体の両肩関節を結ぶ構成の長さを、人体の両股関節を結ぶ構成の長さよりも長からしめて構成する事が望ましく、本発明構成を上記構成に構成する時は、本発明が人体運動に係る旨を明確化出来る利点がある。
【０１３７】
また、本発明構成に於いては、人体の頭部に係る構成を備えしめて構成してもよく、本発明構成を上記構成に構成する時は、本発明が人体運動に係る旨を明瞭ならしめる利点がある。
【０１３８】
本発明はスポーツ運動に係る用具を備えしめた構成としてもよく、本発明構成を上記構成に構成する時は、より実態的なスポーツ主要運動に係る構成を構成出来る利点がある。
【０１３９】
本発明に不必要な要素（例えば、不必要な趣意、思想、装飾等）を含有させ、本発明に係る概念以外の概念を化体し混入すれば本発明の趣旨を害する懼れが生ずるから、本発明の実現に際しては、本発明に不必要な要素を含有させたり、本発明に係る概念以外の概念を化体し混入したりする事は厳に戒むべきであり、本発明に係る概念を損じないよう、あるいは本発明に係る概念を翳ましめないよう、細心の留意を為して明確に本発明構成を実現する事が好ましいが、上記懸念のない条件下であるならば、より多様な機能、より複雑な機能を実現すべく、随時本発明に他の手段等を合して活用してもよい。
【０１４０】
本発明に係る構成がもたらす情報は、一のスポーツ主要運動原理運動に係る一の瞬間の情報（以下、基本情報という）と、一のスポーツ主要運動原理運動に係る二以上の瞬間の情報（以下、拡充情報という）とに大別する事が出来る。
【０１４１】
また、本発明に係る構成がもたらす情報は、直接制御系に係る情報、即ち、意思的能動的直接的に為すべき身体制御あるいは身体制御運動に係る情報（以下、直接制御系情報という）と、間接制御系に係る情報、即ち、意思的能動的直接的な身体制御あるいは身体制御運動から結果的に生成される生成運動に係る情報（以下、間接制御系情報という）とに大別する事が出来る。
【０１４２】
本発明と人体（もしくは人体運動）とは、概念レベルに於いては、本発明を始域（ｓｏｕｒｃｅ）、人体（もしくは人体運動）を終域（ｔａｒｇｅｔ）とする、写像（ｍａｐ）の関係にあると考える事が出来る。始域たる本発明の基本情報による時は、終域たる学習者は、始域たる本発明の直接制御系情報を成す元（要素）の投影を受け、為すべき身体運動に係る情報を取得して、スポーツ主要運動原理に係る意思的能動的直接的身体制御運動が可能となる。その際、学習者は、スポーツ主要運動原理に係る意思的能動的直接的身体制御運動を為す事により、結果的に生成される生成運動を知覚する事も可能である。スポーツ運動は通常実践を伴う実学であり、始域たる本発明に間接制御系情報を成す元（要素）が存在しなくても、スポーツ主要運動原理に係る意思的能動的直接的身体制御運動による結果として、終域たる学習者もしくは学習者の運動に於いて間接制御系情報たる元（要素）が事実上補完され得るのである。この事は、結果的に生成される生成運動に係る適正な付加情報が直接制御系情報に加われば、直接制御系情報と付加情報とを以って間接制御系情報が確保され得る事を示しており、上記例は結果的に生成される生成運動に係る付加情報が発生する状況の一例であるが、結果的に生成される生成運動に係る付加情報生起の在り方は多様に存在する。また、始域たる本発明の拡充情報による時は、終域たる学習者は、始域たる本発明の直接制御系情報を成す元（要素）の投影を受け、為すべき身体運動に係る情報を取得してスポーツ主要運動原理に係る意思的能動的直接的身体制御運動が可能になると同時に、始域たる本発明の間接制御系情報を成す元（要素）の投影を受け、意思的能動的直接的身体制御運動の結果生成される生成運動に係る情報を取得して、スポーツ主要運動原理の実証的探究が容易となる。
【０１４３】
また、別の視点から考察すれば、直接制御系情報を含み間接制御系情報を含まない本発明の基本情報は、学習者にとっては分り易い情報である。なぜなら、前記生成運動は意思的能動的直接的に発生させようとすれば齟齬停頓を来たす運動であり、他に係る意思的能動的直接的身体制御の結果として生成されるべき運動であるが、本発明の基本情報による時は、意思的能動的直接的制御の対象とすべきではない前記生成運動に係る情報が提示されないので、学習者が意識簡省化を為し得て直接制御系情報に基づく運動に集中出来るからである。
【０１４４】
かく、スポーツ主要運動の身体制御方法の修得を現に目途している学習者には、本発明の基本情報の活用が適している。本発明の基本情報を活用すれば、学習者は直接制御系情報を取得出来、スポーツ主要運動原理運動たる身体制御運動が可能となる。本発明は、この限りに於いては、スポーツ主要運動原理に係る意思的能動的直接的身体制御運動を可能ならしめる指針、指標あるいはガイダンス体（ガイダンス機能体）と位置付ける事が出来る。なお、前記した通り、直接制御系情報が含まれ、間接制御系情報が含まれない本発明の基本情報は、スポーツ主要運動の身体制御方法の修得を現に目途している学習者にとっては、情報が簡約化されている点に於いて有意義である。
【０１４５】
また、スポーツ主要運動原理運動をより深く探究する意欲を有している学習者には、本発明の拡充情報の活用が適している。本発明の拡充情報からは、直接制御系情報と共に間接制御系情報を取得出来るが、間接制御系情報は身体制御あるいは身体制御運動の結果として生成される生成運動に係る情報であり、学習者は、謂わば間接因果系を対象として考究を為し、スポーツ主要運動原理運動を実証的に探究する事が可能になる。そして、学習者がその探究成果を身体制御運動にフィードバックすれば、さらなるスポーツ運動向上が図れる事となる。
【０１４６】
本発明は、本発明の基本情報によって、直接制御系情報を現示する機能（以下、直接制御系情報現示機能という）を発揮する。また、本発明は、本発明の拡充情報によって、直接制御系情報現示機能を発揮すると共に、間接制御系情報を現示する機能（以下、間接制御系情報現示機能という）を発揮する。
【０１４７】
また、本発明は、本発明者の解明発見したスポーツ主要運動原理に係る視覚形態的な特長のある構成により、前記従来手段に優位して、学習者の脳生理活動に働き掛けて印象を刻み、スポーツ主要運動原理に係る記憶を強化する機能（以下、記憶強化機能という）、スポーツ主要運動原理に係る記憶を覚醒する機能（以下、記憶覚醒機能という）を発揮する事が出来る。
【０１４８】
本発明により、基本情報を得て活用する時は、直接制御系情報現示機能、記憶強化機能、記憶覚醒機能が発揮され、拡充情報を得て活用する時は、直接制御系情報現示機能、間接制御系情報現示機能、記憶強化機能、記憶覚醒機能が発揮される。本発明により、基本情報を得て活用する時は、従来よりも容易にスポーツ主要運動原理に係る身体制御運動に通じ、従来よりも着実にスポーツ主要運動熟達を図る事が出来る利点があり、また、拡充情報を得て活用する時は、スポーツ主要運動原理の実証的探究に係る観点に基づきつつ、従来よりも容易にスポーツ主要運動原理に通じ、従来よりも着実にスポーツ主要運動熟達を図る事が出来る利点がある。
【０１４９】
本発明には様々な具体的活用方法とそれによる効果があるが、本発明の代表的な具体的活用方法例として、スポーツ運動指導機関等に於いて本発明をスポーツ主要運動原理の指導手段、説明手段、教材等として活用する状況が考えられる。
【０１５０】
スポーツ運動指導機関等に於いて本発明が活用されれば、スポーツ主要運動原理伝播時の障碍、即ち、左発力学構造が右発力学構造によって埋没する問題、右発力学構造が左発力学構造によって埋没する問題が解消され、指導者にとっても学習者にとっても有益である。
【０１５１】
本発明の基本情報による時は、本発明の直接制御系情報現示機能が発揮される。これにより、指導者にとっては従来の手段による時よりもスポーツ主要運動原理運動に係る身体制御方法の表現の困難さ、煩わしさから開放され、誤解を生じる余地を排してスポーツ主要運動原理に係る身体制御方法を学習者に伝授出来、学習者にとっては従来の手段による時よりも明確で理解し易く、かつ、紛れる余地の少ない身体制御運動に係る情報を取得出来る事になる。なお、その際、結果的に生成される生成運動に係る適正な付加情報が付与されれば、学習者は直接制御系情報と付加情報とにより間接制御系情報を取得する事も可能である。また、本発明の拡充情報による時は、本発明の直接制御系情報現示機能に加えて、間接制御系情報現示機能が発揮される。これにより、本発明の基本情報による時と同様の効果があると共に、人体各部位各可動部位の在り方等の身体制御のためのさらなる観点やスポーツ主要運動原理運動を実証的に探究するための観点に係る情報が提供され、指導機関等のカリキュラム内容を充実させ、学習者のスポーツ主要運動原理への深い通暁を支援する事が出来る。
【０１５２】
また、スポーツ運動指導機関等にあって、伝授した指導内容が学習者に於いて確と記憶され確と応用される事は大事であるが、学習者は学習内容を如意には記憶貯蔵しないものである。この点についていかに学習者の記憶を強めるかは指導者の力量の問題となるが、負い得る責務に自ずと限度がある。この問題に対し本発明を活用すれば、本発明はスポーツ主要運動原理に係る記憶強化機能を発揮し、指導者にとっても従来よりも少ない負担の下に、学習者にとっても従来よりも少ない負担の下に、高い充足度を以って学習者にスポーツ主要運動原理に係る記憶を定着せしめる事が可能になる。
【０１５３】
また、スポーツ運動指導機関等にあって、伝授した指導内容が学習者に於いて確と記憶され確と応用される事は大事であるが、学習者は学習内容を随意には記憶想起しないものである。この点についていかに学習者の記憶を蘇らせるかは指導者の力量の問題となるが、負い得る責務に自ずと限度がある。この問題に対し本発明を活用すれば、本発明はスポーツ主要運動原理に係る記憶覚醒機能を発揮し、指導者にとっても従来よりも少ない負担の下に、学習者にとっても従来よりも少ない負担の下に、高い充足度を以って学習者にスポーツ主要運動原理に係る記憶を覚醒せしめる事が可能になる。
【０１５４】
また、本発明の具体的活用方法例として、学習者（実践者）が自ら主体的にスポーツ運動を学習する際の支援手段として本発明を活用する状況が考えられる。
【０１５５】
スポーツ運動の学習者（実践者）には、通常、
・スポーツ主要運動原理を理解出来ない
・スポーツ主要運動原理を一時理解出来てもこれを如意には記憶出来ない
・スポーツ主要運動原理を記憶出来てもこれを随意には覚醒して実践的に応用出来ない
という幾重もの艱難が待ち受けるが、本発明はスポーツ主要運動原理に係る直接制御系情報現示機能、間接制御系情報現示機能、記憶強化機能、記憶覚醒機能を備えており、本発明による時は、自ら主体的にスポーツ運動を学習する学習者（実践者）の上記問題点に対応し、学習者を多面的に支援する事が可能である。
【０１５６】
本発明は、スポーツ主要運動原理を理解出来ない事に悩む学習者（実践者）に対しては、本発明の直接制御系情報現示機能を発揮する。即ち、本発明は、基本情報による時は、スポーツ主要運動原理に係る直接制御系情報を提供して、スポーツ主要運動原理運動への習熟を支援する。その際、学習者（実践者）が初級レベルであれば、初歩の段階からスポーツ主要運動の本質を踏み外す事なく把握せしめて学習の進捗を図る事が出来る。また学習者（実践者）が中上級レベルであれば、それぞれのレベルに応じてスポーツ主要運動の本質を過つ事なく再認識せしめ、さらなるステージへと学習の進捗を図る事が出来る。なお、その際、学習者（実践者）自らが為す運動により、あるいは様々な他の情報等により、結果的に生成される生成運動に係る適正な付加情報を得る時は、学習者（実践者）は直接制御系情報と付加情報とにより間接制御系情報を取得する事も可能である。また、本発明は、拡充情報による時は、直接制御系情報現示機能に加えて、間接制御系情報現示機能を発揮する。即ち、基本情報による時と同様の効果があると共に、人体各部位各可動部位の在り方等の身体制御のためのさらなる観点やスポーツ主要運動原理運動を実証的に探究するための観点に係る情報が提供され、学習者（実践者）のスポーツ主要運動原理への深い通暁を支援する事が出来る。
【０１５７】
また、本発明は、スポーツ主要運動原理を如意には記憶出来ない事に悩む学習者（実践者）に対しては、スポーツ主要運動原理に係る記憶強化機能を発揮してスポーツ主要運動原理の記憶強化作用を支援する事が出来る。人は強い印象がある事柄ほどよく記憶するものであるが、本発明は他の手段にない視覚形態的特長を備えており、本発明を目にする者に強い印象を刻み、学習者（実践者）のスポーツ主要運動原理に係る記憶の強化を図る事が可能である。
【０１５８】
また、本発明は、スポーツ主要運動原理を随意には覚醒して実践的に応用出来ない事に悩む学習者（実践者）に対しては、スポーツ主要運動原理に係る記憶覚醒機能を発揮してスポーツ主要運動原理の記憶覚醒作用を支援する事が出来る。人は想起の契機や事由に富む記憶ほどよく思い出すものであるが、本発明は他の手段にない視覚形態的特長を備えており、これにより脳生理作用を促して学習者のスポーツ主要運動原理に対する記憶覚醒作用を鼓吹し、学習者（実践者）のスポーツ主要運動原理に係る記憶の覚醒を促進する事が可能である。
【０１５９】
以下本発明の実施例を説明するが、下記の実施例は一例であり、本発明の範囲を限定するものではない。
【実施例１】
【０１６０】
実施例１の本発明を図１〜図２０に基づいて説明する。実施例１の本発明はコンピュータ装置を活用して実施する。実施例１の本発明は本発明の２次元的構成に係る装置に適し、コンピュータ装置の様々な利便性を活かして本発明に係る基本情報や拡充情報を提供する事が可能であり、直接制御系情報現示機能、間接制御系情報現示機能、記憶強化機能、記憶覚醒機能を発揮せしめる事が可能である特長がある。なお、図１〜図１８は本発明の構成例に係る説明図である。
【０１６１】
実施例１の本発明は、例えば、図１９のブロック図に示すように、中央処理装置１、記憶装置２、出力装置３、入力装置４等のハードウェア構成から成るコンピュータ装置を構成して実施するが、その際、各種の通信装置、あるいは、各種の通信システムを介在せしめて構成してもよく、上記コンピュータ装置のハードウェア構成例に於けるハードウェア装置の機能をより集約的に構成せしめた機能体もしくは機能機構を以って構成してもよい。
【０１６２】
上記コンピュータ装置の構成例の中央処理装置１は、本発明のプログラム動作に係る処理を行う装置であり、ＣＰＵ（Ｃｅｎｔｒａｌ  Ｐｒｏｃｅｓｓｉｎｇ  Ｕｎｉｔ）、あるいは、ＭＰＵ（Ｍｉｃｒｏ  Ｐｒｏｃｅｓｓｉｎｇ  Ｕｎｉｔ）等とすればよいが、より拡張された電子部品であるＭＣＵ（Ｍｉｃｒｏ  Ｃｏｎｔｒｏｌ  Ｕｎｉｔ）等を活用する事も可能である。
【０１６３】
上記コンピュータ装置の構成例の記憶装置２は、本発明に係るプログラムやデータを記憶するための、ＲＯＭ、ＲＡＭ、その他の各種メモリ、ハードディスク装置等を活用した主記憶装置や補助記憶装置であるが、中央処理装置と連携して本発明に係る動作を担う装置である。なお、電子部品構成によっては、記憶装置もしくは記憶機能を中央処理装置に内包せしめる構成とする事も可能である。
【０１６４】
上記コンピュータ装置の構成例の出力装置３は、本発明に係る構成を出力する装置であり、ＣＲＴ（ブラウン管ディスプレイ）、ＬＣＤ（液晶ディスプレイ）、 ＰＤＰ（プラズマディスプレイ）等のディスプレイ装置あるいはモニタ装置等の出力装置とすればよく、プロジェクタ装置やプロッタ装置、印刷装置等を活用してもよい。
【０１６５】
上記コンピュータ装置の構成例の入力装置４は、一つには本発明に係るプログラムやデータを供給するための装置であり、また、一つには本発明に係るプログラム動作命令を入力するための装置である。本発明に係るプログラムやデータを供給するための装置としては、磁気ディスクドライブ装置、光ディスクドライブ装置、光磁気ディスクドライブ装置等の装置とすればよく、通信システムを介して本発明に係るプログラムやデータを供給せしめる構成とする事も可能である。また、本発明に係るプログラム動作命令を入力するための装置としては、キーボードシステム装置、マウスシステム装置、タッチパネルシステム装置等の装置とすればよく、本発明に係るプログラム動作命令を通信システムを介して入力せしめる構成としてもよい。
【０１６６】
以下、実施例１の本発明のコンピュータ装置のハードウェア構成を、ＣＰＵ等の中央処理装置、ＲＯＭやＲＡＭ、ハードディスク装置等の記憶装置、ディスプレイ装置等の出力装置、キーボードシステム装置やマウスシステム装置等の入力装置から成るハードウェア構成とし、ソフトウェア構成を本発明に係る異なる３種のスポーツ主要運動の動的構成（以下、構成「１」、構成「２」、構成「３」とする）を構成するソフトウェア構成とした場合の、実施例１の本発明に係るコンピュータ装置の動作例を、図２０に示すフローチャートに基づいて説明する。
【０１６７】
［開始］
コンピュータ装置のプログラムを開始する。コンピュータ装置のプログラムは記憶装置にインストールし、入力装置の操作等によりプログラムを開始（起動）する構成とする。
【０１６８】
［ステップＳ１］
プログラム開始（起動）に伴い、実施例１の本発明に係るコンピュータ装置の所定の初動構成が構成され、実施例１の本発明に係るコンピュータ装置の動作命令が入力可能となる。
【０１６９】
［ステップＳ２］
実施例１の本発明に係るコンピュータ装置の動作命令を入力装置により入力する。
【０１７０】
［ステップＳ３］
入力された動作命令を判断し、『ステップＳ４』あるいは『終了』へとプログラム進行する。
【０１７１】
［ステップＳ４］
入力された動作命令に従ってプログラム動作が実行される。コンピュータ装置の動作命令に対応する動作は次の通りである。
（動作「１」）
ステップＳ２に於いて本発明のスポーツ主要運動原理に係る所定の構成「１」を出力する動作命令「１」が入力された場合は、構成「１」が出力装置により出力される。
（動作「２」）
ステップＳ２に於いて本発明のスポーツ主要運動原理に係る所定の構成「２」を出力する動作命令「２」が入力された場合は、構成「２」が出力装置により出力される。
（動作「３」）
ステップＳ２に於いて本発明のスポーツ主要運動原理に係る所定の構成「３」を出力する動作命令「３」が入力された場合は、構成「３」が出力装置により出力される。
【０１７２】
［終了］
プログラムを終了する。ステップＳ２に於いてプログラム終了命令が入力された場合は、プログラムは終了される。
【０１７３】
なお、「ステップＳ２」〜「ステップＳ４」の処理は、プログラムが『終了』に進行しない限りループ処理である。
【０１７４】
実施例１の本発明に係るコンピュータ装置のプログラムは、前記例の機能を拡張した、より多能な機能を具有せしめたプログラム（以下、多能プログラムという）としてもよい。例えば、実施例１の本発明のプログラムを、動的構成を一時停止する機能、及び、その一時停止機能を解除する機能を具有せしめた多能プログラムとしてもよい。
【０１７５】
また、実施例１の本発明のプログラムを、動的構成をコマ送り構成する機能を具有せしめた多能プログラムとしてもよい。
【０１７６】
また、実施例１の本発明のプログラムを、動的構成を時間軸上任意方向に変動せしめる事の可能な機能を具有せしめた多能プログラムとしてもよい。
【０１７７】
また、実施例１の本発明のプログラムを、動的構成の構成回数を任意に指定可能な機能を具有せしめた多能プログラムとしてもよい。
【０１７８】
また、実施例１の本発明のプログラムを、動的構成の構成速度を任意に指定可能な機能を具有せしめた多能プログラムとしてもよい。
【０１７９】
また、実施例１の本発明のプログラムを、左利き用構成と右利き用構成の一方を選択可能な機能を具有せしめた多能プログラムとしてもよい。
【０１８０】
また、実施例１の本発明は、各種の拡張現実（ＡＲ：Ａｕｇｕｍｅｎｔｅｄ Ｒｅａｌｉｔｙ）技術と合して実施してもよい。実施例１の本発明を上記構成に於いて実施する時はより高度な機能を実現出来る利点がある。
【０１８１】
また、実施例１の本発明は、特開Ｈ０８−２１１８３４号公報、特開Ｈ１０−０８３１４８号公報、特開Ｈ１１−３３６０３０号公報、登録実用新案第３１３９１０３号公報等に開示されている技術等に係る電飾装置に係る技術を合して実施してもよい。本発明を上記構成と成す時は、一の本発明に係る表現を広大な空間（特に光量の少ない広大な空間）に於いて実施して、一度に多くの学習者（実践者）に本発明に係る情報を提示する事が出来る利点がある。
【０１８２】
また、実施例１の本発明は、実登第３１１４４９９号公報、実登第３１１７１８５号公報、実登第３１２３７９６号公報、特許第４１０２９２０号公報等に開示されている各種デジタルサイネージ技術、あるいは、特許第４３４８７７９号公報等に開示されている各種デジタルフォトフレーム技術、あるいは、特許第３７７０４９９号公報等に開示されている各種遊戯機器等に於ける技術、その他、各種情報機器、各種通信機器に係る構成技術、各種エレクトロニクス機器等に於ける技術等と合して実施してもよい。本発明を上記構成に於いて実施する時は、各技術と相乗して本発明に係る機能を発揮せしめる事が可能になる利点がある。
【０１８３】
また、実施例１の本発明は、本発明に係る各種生産技術、各種通信技術等の技術と合して実施してもよい。実施例１の本発明を上記構成に於いて実施する時は、本発明の伝播性を高め得る利点がある。
【０１８４】
また、実施例１の本発明は、本発明の機能を満たす限りに於いて、マイク装置、スピーカー装置、カード型メモリ装置、スティック型メモリ装置、無線装置、ワンセグ装置、ＧＰＳ装置（全地球測位システム装置）、その他、各種入力装置、各種出力装置、各種変換装置等の装置を活用して実施してもよく、前記技術以外の各種技術と合して実施してもよい。実施例１の本発明を上記構成に於いて実施する時は、より広汎な需要に応え得る利点がある。
【実施例２】
【０１８５】
次に、実施例２の本発明を説明する。実施例２の本発明は、実施例１の本発明に特許第２７６２８１８号公報、特許第２８６１６３２号公報、特許第３１２３５２７号公報、特許第３１３２３１５号公報、特許第３５７３２７０号公報、特許第３５７９６８３号公報、特許第３６２８９５８号公報、特許第３６４２８０７号公報、特許第３７８７４２２号公報、特許第３７９４６９４号公報、特許第３８５２９３４号公報、特許第３９０４８６２号公報、特許第４１６５１５８号公報、特許第４２１８９３８号公報、特許第４３００８８６号公報、特許第４３５２８０４号公報、特許第４３８６２９８号公報、特許第４３９１８６４号公報、特許第４３９１８６５号公報等に開示されている技術等に係る立体視を可能ならしめる技術を合して実施したり、特開２００６−０１１１８５号公報、特許第３１４２３１６号公報、特許第３２３８７５５号公報、特許第３４６０６７１号公報、特許第３４７３０２７号公報、特許第３５３９００２号公報、特許第３５３９４２５号公報、特許第３５４６９２１号公報、特許第３５７４７５１号公報、特許第３５８３６１１号公報、特許第３８７１８３７号公報、特許第４０７５４１８号公報、特許第４３６０４４３号公報等に開示されている技術等に係るホログラフィ技術を合して実施する。実施例２の本発明は、本発明の仮想３次元的構成に係る装置として適しており、実施例１の本発明に準じた特長があると同時に各種被併合技術の特長を活用出来る特長がある。
【０１８６】
なお、実施例１の本発明も、実施例２の本発明も、本発明の機能を満たす限りに於いて前記以外のハードウェア構成、あるいは、前記以外のソフトウェア構成等から成るコンピュータ装置として実施してもよく、前記技術以外の技術を合して実施してもよい。実施例１、実施例２の本発明を上記構成に於いて実施する時は、より広汎な需要に応え得る利点がある。
【符号の説明】
【０１８７】
１〜４          実施例１の本発明のコンピュータ装置を構成する装置
Ｓ１〜Ｓ４      実施例１の本発明のコンピュータ装置の処理手順を示すフローチャートのステップ
１００〜１１５  人体基礎モデルの構成部材
１１６〜１２７  人体基礎モデルの可動節
Ｖ−Ｖ          スポーツ主要運動原理に於ける第一の回転運動の回転中心線
Ｚ−Ｚ          スポーツ主要運動原理に於ける第二の回転運動の回転中心線
【図１】
2011115574.tif 000003
【図２】
2011115574.tif 000004
【図３】
2011115574.tif 000005
【図４】
2011115574.tif 000006
【図５】
2011115574.tif 000007
【図６】
2011115574.tif 000008
【図７】
2011115574.tif 000009
【図８】
2011115574.tif 000010
【図９】
2011115574.tif 000011
【図１０】
2011115574.tif 000012
【図１１】
2011115574.tif 000013
【図１２】
2011115574.tif 000014
【図１３】
2011115574.tif 000015
【図１４】
2011115574.tif 000016
【図１５】
2011115574.tif 000017
【図１６】
2011115574.tif 000018
【図１７】
2011115574.tif 000019
【図１８】
2011115574.tif 000020
【図１９】
2011115574.tif 000021
【図２０】
2011115574.tif 000022
【図２１】
2011115574.tif 000023
【図２２】
2011115574.tif 000024
【図２３】
2011115574.tif 000025
【図２４】
2011115574.tif 000026
【図２５】
2011115574.tif 000027
【図２６】
2011115574.tif 000028
【図２７】
2011115574.tif 000029
【図２８】
2011115574.tif 000030
【図２９】
2011115574.tif 000031
【図３０】
2011115574.tif 000032
【図３１】
2011115574.tif 000033
【図３２】
2011115574.tif 000034
【図３３】
2011115574.tif 000035
【図３４】
2011115574.tif 000036
【図３５】
2011115574.tif 000037
【図３６】
2011115574.tif 000038
【図３７】
2011115574.tif 000039
【図３８】
2011115574.tif 000040
【図３９】
2011115574.tif 000041
【図４０】
2011115574.tif 000042